(57)【要約】【課題】意匠性を向上しつつ、生産性を向上できる暖房装置を提供する。【解決手段】暖房装置は、側板部１と、前板部２と、天板部３とを備えている。天板部３は、天板側スリット孔１ｆに挿入可能な天板係止爪３ｃを含んでいる。天板係止爪３ｃは、天板側スリット孔１ｆに挿入された状態で前後方向ＢＦに移動可能であり、天板係止爪３ｃの前方側に配置され、天板部３が前方側に移動された状態で、天板側フランジ部１ｅに係止される前方側係止部３１と、天板係止爪３ｃの後方側に配置され、天板部３が後方側に移動された状態で、天板側フランジ部１ｅに乗り上げて天板部３が前方側に移動された状態よりも高い位置で天板側フランジ部１ｅに係止される後方側係止部３２とを含んでいる。【選択図】図３
2015194321.tif 000002
【特許請求の範囲】
【請求項１】
側板部と、
前記側板部の前方側に配置され、かつ前記側板部に取り付け可能な前板部と、
前記側板部の上方側に配置され、かつ前記側板部に取り付け可能な天板部とを備え、
前記側板部は、前記天板部側に配置された天板側フランジ部を含み、かつ前記天板側フランジ部を上下方向に貫通し、前後方向に延在する天板側スリット孔を有し、
前記天板部は、前記天板側スリット孔に挿入可能な天板係止爪を含み、
前記天板係止爪は、
前記天板側スリット孔に挿入された状態で前記前後方向に移動可能であり、
前記天板係止爪の前記前方側に配置され、前記天板部が前方側に移動された状態で、前記天板側フランジ部に係止される前方側係止部と、
前記天板係止爪の後方側に配置され、前記天板部が前記後方側に移動された状態で、前記天板側フランジ部に乗り上げて前記天板部が前方側に移動された状態よりも高い位置で前記天板側フランジ部に係止される後方側係止部とを含む、暖房装置。
【請求項２】
前記天板側スリット孔は互いに前記前後方向に配置された第１および第２のスリット孔を含み、
前記天板係止爪は、前記第１および第２のスリット孔にそれぞれ挿入される第１および第２の係止爪を含む、請求項１に記載の暖房装置。
【請求項３】
前記第１および第２の係止爪のいずれかは、前記第１および第２の係止爪が前記第１および第２のスリット孔に挿入された状態で、前記第１および第２のスリット孔のいずれかを規定する前記天板側フランジ部の後端部に当接することで前記天板部の後方側への移動を規制するための鉛直端面をさらに含む、請求項２に記載の暖房装置。
【請求項４】
前記天板部は上面部を含み、前記上面部は保持部を有し、
前記前板部は、上端部と、前記上端部から前記後方側に突出し、かつ前記保持部に載置可能な支持部とを含み、
前記保持部および前記支持部のいずれか一方は凹部を有し、いずれか他方は前記凹部と係合可能な凸部を有している、請求項１〜３のいずれか１項に記載の暖房装置。
【請求項５】
前記側板部の下方側に配置された底板部をさらに備え、
前記底板部は、前記前板部に対向する位置に開口する底板スリット孔を含み、
前記前板部は、下端部と、前記下端部から前記後方側に突出し、かつ前記底板スリット孔に挿入可能な底板側係止爪とを含む、請求項１〜４のいずれか１項に記載の暖房装置。
【請求項６】
前記側板部は、前板側フランジ部を含み、かつ前記前板側フランジ部を前記前後方向に貫通し、前記上下方向に延在する前板側スリット孔を有し、
前記前板部は、前記前板側スリット孔に挿入可能な側板側係止爪を含み、
前記側板側係止爪は、
前記前板側スリット孔に挿入された状態で前記上下方向に移動可能であり、
前記側板側係止爪の下方側に配置され、前記側板側係止爪が前記下方側に移動された状態で前記前板部との間で前記前板側フランジ部を挟み込む突起部を含む、請求項１〜５のいずれか１項に記載の暖房装置。
【発明の詳細な説明】
【技術分野】
【０００１】
本発明は、暖房装置に関するものである。
【背景技術】
【０００２】
ガスファンヒータなどの室内に設置される暖房装置では、意匠性が重視されるため、暖房装置の前板部を固定するビスなどが暖房装置の表面からできる限り露出しないことが望ましい。そのため、暖房装置では、暖房装置の側板部に前板部がビスを用いないで固定されるものがある。
【０００３】
たとえば、特開２０１０−１５９９４０号公報（特許文献１）には、温風暖房機の前板部に設けられた係止爪が側板部に設けられた係止孔に係止されることによって、前板部が側板部に固定される構造が開示されている。この温風暖房機では、前板部の上端に飾り枠が結合されている。この飾り枠の上部には後上がりに傾斜した傾斜板部が設けられている。また、飾り枠の上方には天板部が配置されている。この天板部の前縁には下方に屈曲する屈曲縁が設けられている。
【先行技術文献】
【特許文献】
【０００４】
【特許文献１】特開２０１０−１５９９４０号公報
【発明の概要】
【発明が解決しようとする課題】
【０００５】
上記公報に開示された温風暖房機の製造工程においては、温風暖房機の各部品が天板部に設けられた操作部に電気的に接続された状態で、操作部の検査が実施される。そして、この操作部の検査が実施された後に、前板部が側板部に取り付けられる。
【０００６】
この前板部の取り付けは、具体的には、前板部の上端に結合された飾り枠の傾斜板部が天板部の屈曲縁の後側に入り込まされた状態で、前板部が押し上げられて、前板部の係止部が係止爪の係止孔に係止されることにより行われる。このとき、飾り枠が天板部に接触し易いため、前板部を側板部に取り付け難いという問題がある。このため、暖房装置の生産性が低下するという問題がある。
【０００７】
本発明は上記の課題を鑑みてなされたものであり、その目的は、意匠性を向上しつつ、生産性を向上できる暖房装置を提供することである。
【課題を解決するための手段】
【０００８】
本発明の暖房装置は、側板部と、前板部と、天板部とを備えている。前板部は、側板部の前方側に配置され、かつ側板部に取り付け可能である。天板部は、側板部の上方側に配置され、かつ側板部に取り付け可能である。側板部は、天板部側に配置された天板側フランジ部を含み、かつ天板側フランジ部を上下方向に貫通し、前後方向に延在する天板側スリット孔を有している。天板部は、天板側スリット孔に挿入可能な天板係止爪を含んでいる。天板係止爪は、天板側スリット孔に挿入された状態で前後方向に移動可能であり、天板係止爪の前方側に配置され、天板部が前方側に移動された状態で、天板側フランジ部に係止される前方側係止部と、天板係止爪の後方側に配置され、天板部が後方側に移動された状態で、天板側フランジ部に乗り上げて天板部が前方側に移動された状態よりも高い位置で天板側フランジ部に係止される後方側係止部とを含んでいる。
【０００９】
本発明の暖房装置によれば、前板部は側板部に取り付け可能であるため、意匠性を向上することができる。また、天板係止爪は、天板側スリット孔に挿入された状態で前後方向に移動可能である。このため、天板部が後方側に移動された状態で側板部に前板部を取り付けることができる。そして、天板部が後方側に移動された状態において、天板側フランジ部に乗り上げて天板部が前方側に移動された状態よりも高い位置で天板側フランジ部に後方側係止部は係止される。したがって、天板部が前方側に移動された状態よりも高い位置にあるため、側板部に前板部を取り付けるときに、前板部が天板部に接触することを抑制することができる。このため、前板部を側板部に取り付けることが容易である。よって、暖房装置の生産性を向上することができる。
【００１０】
上記の暖房装置において、天板側スリット孔は互いに前後方向に配置された第１および第２のスリット孔を含んでいる。天板係止爪は、第１および第２のスリット孔にそれぞれ挿入される第１および第２の係止爪を含んでいる。互いに前後方向に配置された第１および第２のスリット孔にそれぞれ第１および第２の係止爪が挿入されることによって、天板係止爪を前後方向に安定して移動させることができる。
【００１１】
上記の暖房装置において、第１および第２の係止爪のいずれかは、第１および第２の係止爪が第１および第２のスリット孔に挿入された状態で、第１および第２のスリット孔のいずれかを規定する天板側フランジ部の後端部に当接することで天板部の後方側への移動を規制するための鉛直端面をさらに含んでいる。このため、鉛直端面が天板側フランジ部の後端部に当接することで天板部の後方側への移動を規制することができる。これにより、転倒時に天板部が後方側に移動することを抑制することができる。
【００１２】
上記の暖房装置において、天板部は上面部を含んでいる。上面部は保持部を有している。前板部は、上端部と、上端部から後方側に突出し、かつ保持部に載置可能な支持部とを含んでいる。保持部および支持部のいずれか一方は凹部を有し、いずれか他方は凹部と係合可能な凸部を有している。このため、凹部と凸部とを係合させることによって、天板部の保持部と前板部の支持部とをしっかりと係合させることができる。
【００１３】
上記の暖房装置は、側板部の下方側に配置された底板部をさらに備えている。底板部は、前板部に対向する位置に開口する底板スリット孔を含んでいる。前板部は、下端部と、下端部から後方側に突出し、かつ底板スリット孔に挿入可能な底板側係止爪とを含んでいる。底板部の底板スリット孔に前板部の底板側係止爪が挿入されることによって、前板部を底板部から外れ難くすることができる。
【００１４】
上記の暖房装置において、側板部は、前板側フランジ部を含み、かつ前板側フランジ部を前後方向に貫通し、上下方向に延在する前板側スリット孔を有している。前板部は、前板側スリット孔に挿入可能な側板側係止爪を含んでいる。側板側係止爪は、前板側スリット孔に挿入された状態で上下方向に移動可能であり、側板側係止爪の下方側に配置され、側板側係止爪が下方側に移動された状態で前板部との間で前板側フランジ部を挟み込む突起部を含んでいる。側板部の前板側スリット孔に前板部の側板側係止爪が挿入され、下方側に移動された状態で、突起部が前板部との間で前板側フランジ部を挟み込むため、前板部を側板部から外れ難くすることができる。
【発明の効果】
【００１５】
以上説明したように、本発明によれば、意匠性を向上しつつ、生産性を向上できる暖房装置を提供することができる。
【図面の簡単な説明】
【００１６】
【図１】本発明の一実施の形態における暖房装置の構成を概略的に示す斜視図である。
【図２】本発明の一実施の形態における暖房装置の内部構造を示す概略図である。
【図３】本発明の一実地の形態における暖房装置の一部分解斜視図である。
【図４】図１のＩＶ−ＩＶ線に沿う断面図である。
【図５】図４のＶ−Ｖ線に沿う断面図である。
【図６】図５に示す天板係止爪の周辺の構成を概略的に示す斜視図である。
【図７】本発明の一実施の形態における前板部が天板部に支持された状態を概略的に示す部分斜視図である。
【図８】図７のＶＩＩＩ−ＶＩＩＩ線に沿う断面図である。
【図９】本発明の一実施の形態における前板部が底板部の上方に配置された状態を概略的に示す部分斜視図である。
【図１０】図９のＸ−Ｘ線に沿う断面図である。
【図１１】本発明の一実施の形態における暖房装置の天板部が後方に移動され、前板部が取り付けられる前の状態を概略的に示す斜視図である。
【図１２】図１１のＸＩＩ−ＸＩＩ線に沿う断面図である。
【図１３】図１２に示す断面における側板部の前板側スリット孔に天板部の側板側係止爪が挿入された状態を示す断面図である。
【図１４】図１３に示す状態から前板部が下方側に移動された状態を示す断面図である。
【図１５】本発明の一実施の形態における天板部が前方側に移動された状態と後方側に移動された状態とにおける天板係止爪の状態を示す概略図である。
【図１６】本発明の一実施の形態における暖房装置の変形例の構成を概略的に示す断面図である。
【図１７】図１６のＰ１部の拡大図である。
【図１８】本発明の一実施の形態における暖房装置の変形例の天板部が前方側に移動された状態において天板係止爪が上方に移動された状態を示す図である。
【図１９】本発明の一実施の形態における暖房装置の変形例の天板部が後方側に移動された状態を示す図である。
【発明を実施するための形態】
【００１７】
以下、本発明の実施の形態について図に基づいて説明する。
まず、図１を参照して、本発明の一実施の形態における暖房装置の構成について説明する。以下、本実施の形態の暖房装置の一例としてガスファンヒータについて説明する。また、以下では各方向は暖房装置を床面に設置した状態を基準としている。
【００１８】
本実施の形態の暖房装置は、側板部１と、前板部２と、天板部３と、底板部４と、表示パネル部５と、操作パネル部６と、燃焼ケース１１と、燃焼装置１２と、送風装置１３と、制御部１４と、風向板１５とを主に有している。
【００１９】
側板部１と、前板部２と、天板部３と、底板部４とによって筺体が構成されている。天板部３の上側に各種情報を表示可能な表示パネル部５と、暖房装置を操作可能な操作パネル部６とが並んで取り付けられている。本実施の形態では、表示パネル部５は２つの表示部５ａを有しており、操作パネル部６は８つの操作ボタン６ａを有している。
【００２０】
天板部３と、底板部４と、表示パネル部５と、操作パネル部６とによって構成される筺体の内部に、燃焼ケース１１と、燃焼装置１２と、送風装置１３と、制御部１４と、風向板１５が収容されている。風向板１５は、前板部２の下部に設けられた排気口ＥＰから筺体外に露出するように配置されている。排気口ＥＰは前板部２を貫通しており、暖房装置の内部と外部とを連通している。排気口ＥＰは略長方形状を有しており、前板部２の左右方向の大部分に渡って形成されている。
【００２１】
図１および図２を参照して、燃焼ケース１１は、ファンケース一体型の燃焼ケースであり、燃焼装置１２と、送風装置１３とを内部に収容している。風向板１５の近傍に送風装置１３が配置されている。送風装置１３の上方に燃焼装置１２が配置されている。また、側板部の背面側に吸気口１６が設けられている。
【００２２】
燃焼ケース１１の内部は二重構造となっており、燃焼部１１ａと、空気迂回部１１ｂとを有している。燃焼ケース１１の燃焼部１１ａには、燃焼装置１２、熱電対１７、点火プラグ１８が配置されている。燃焼装置１２は、たとえばバーナである。燃焼装置１２には、電磁弁２１から燃料ガス供給路２２を経由して燃料ガスが供給される。送風装置１３は、たとえばファンである。熱電対１７は火炎状態検知手段として機能するものであり、火炎の温度を直接的に検知可能に構成されている。点火プラグ１８は燃料ガスに点火可能に構成されている。
【００２３】
空気迂回部１１ｂは、燃焼部１１ａの周囲を取り巻くものであり、主として混合用の空気を流す空気流路として機能する。燃焼ケース１１の背面側には、燃焼ケース１１の内部に空気を取り込むための取込口ＩＰが設けられている。吸気口１６から吸気された空気が取込口ＩＰを経由して燃焼ケース１１の内部に取り込まれる。
【００２４】
制御部１４は、暖房装置を制御するマイコン（図示せず）を備えた制御基板を有しており、暖房装置の各部の動作を制御可能に構成されている。具体的には、制御部１４は、暖房装置の各種温度センサ（サーミスタ）、熱電対１７等からの信号を取得可能であり、燃焼装置１２の火炎の有無や火炎の温度、燃焼装置１２の燃焼量、暖房装置の内部の温度、暖房装置が設置されている部屋の室温等を取得可能である。そして、制御部１４は、取得した情報に基づいた暖房装置の各部を制御可能に構成されている。
【００２５】
また、制御部１４は、燃焼装置１２と、電磁弁２１や比例弁等の各種制御弁（図示せず）と、点火プラグ１８とに接続されている。これにより、制御部１４は、燃焼装置１２に対して燃焼開始動作、燃焼停止動作、安全動作、燃焼量を増減させる動作等を行うことができる。
【００２６】
次に、本実施の形態の暖房装置の動作について説明する。
本実施の形態の暖房装置は、載置された室内温度を昇温および維持するための暖房運転を行うことができる。つまり、燃焼装置１２で燃料ガスが燃焼され、発生した燃焼ガスと空気とが撹拌されて生成される温風が送風装置１３によって吹き出される暖房運転が実施されることによって、室内温度が設定された温度まで昇温される。
【００２７】
操作パネル部６およびリモコン等に設けられた運転スイッチがオンにされ、暖房装置の暖房運転が開始されると、制御部１４の信号によって送風装置１３が起動される。そして電磁弁２１が開かれて燃料ガス供給路２２を経由して燃焼装置１２に燃料ガスが供給され、点火プラグ１８が動作されて、燃焼装置１２に火炎が形成される。
【００２８】
このとき、送風装置１３が作動することにより、暖房装置の近傍に暖房装置内を通過して循環する空気流が形成される。具体的には、吸気口１６から暖房装置の内部へと空気が取り込まれ、取込口ＩＰから燃焼ケース１１内へと取り込まれる。そして、燃焼ケース１１内へ取り込まれた空気の一部は、燃焼ケース１１の燃焼部１１ａに入り、燃焼装置１２の燃焼動作に使用される。また、取り込まれた空気の他の一部は、燃焼ケース１１の空気迂回部１１ｂに入り、燃焼装置１２の外側を流れる。そして空気迂回部１１ｂを流れた空気は、燃焼装置１２から発生する燃焼ガスと撹拌されて温風となる。
【００２９】
つまり燃焼部１１ａを通過する高温の空気に、空気迂回部１１ｂを流れた空気が混合されて適温の温風となる。そして温風となった空気が燃焼ケース１１の下方へと流動し、排気口ＥＰから暖房装置の外部へ吹き出される。このように本実施の形態の暖房装置は、室内の空気を取り込み、加熱して吹き出すことにより室内温度を上昇させることができる。
【００３０】
次に、本実施の形態の暖房装置の筺体の構成についてさらに詳しく説明する。
図３および図４を参照して、側板部１は、左右一対の側板側面部１ａと、一対の側板側面部１ａ同士を繋ぐ背面部１ｂとを有している。一対の側板側面部１ａの各々と背面部１ｂとは互いに略直角に配置されている。また、側板部１は、側板上端部１ｃおよび側板前端部１ｄを有している。一対の側板側面部１ａのそれぞれの側板上端部１ｃに天板側フランジ部１ｅがそれぞれ設けられている。つまり、側板部１は、天板部３側に配置された天板側フランジ部１ｅを含んでいる。一方の側板側面部１ａの側板上端部１ｃに設けられた天板側フランジ部１ｅは、他方の側板側面部１ａ側に延在してから略直角に上方に折れ曲がるように形成されている。
【００３１】
側板部１は、天板側フランジ部１ｅを上下方向ＵＤに貫通し、前後方向ＢＦに延在する天板側スリット孔１ｆを有している。天板側スリット孔１ｆは天板部３の天板係止爪３ｃが挿入された状態で天板係止爪３ｃが前後方向ＢＦに移動可能に構成されている。天板側スリット孔１ｆは一対の側板側面部１ａにそれぞれ設けられている。本実施の形態では、天板側スリット孔１ｆは互いに前後方向ＢＦに配置された第１のスリット孔ｆ１および第２のスリット孔ｆ２を有している。第１および第２のスリット孔ｆ１、ｆ２は一対の天板側フランジ部１ｅのそれぞれに設けられている。
【００３２】
また、一対の側板側面部１ａのそれぞれの側板前端部１ｄに前板側フランジ部１ｇが設けられている。つまり、側板部１は、前板側フランジ部１ｇを含んでいる。一方の側板側面部１ａの側板前端部１ｄに設けられた前板側フランジ部１ｇは、他方の側板側面部１ａ側に延在してから略直角に前方に折れ曲がるように形成されている。側板部１は、前板側フランジ部１ｇを前後方向ＢＦに貫通し、上下方向ＵＤに延在する前板側スリット孔１ｈを有している。前板側スリット孔１ｈは左右一対の前板側フランジ部１ｇに３つずつ設けられており、各々の前板側フランジ部１ｇの上下方向ＵＤにおいて上部、中部、下部にそれぞれ配置されている。
【００３３】
前板部２は側板部１の前方側に配置されている。前板部２は側板部１に取り付け可能に構成されている。前板部２は、前面部２ａと、前面部２ａの左右両端に接続された左右一対の前板側面部２ｂとを有している。前板側面部２ｂの各々には側板側係止爪２ｄが設けられている。側板側係止爪２ｄは前板側面部２ｂから後方側に突出している。側板側係止爪２ｄはそれぞれの前板側面部２ｂの上下方向ＵＤにおいて上部、中央部、下部にそれぞれ配置されている。これらの側板側係止爪２ｄはそれぞれ前板側スリット孔１ｈにそれぞれ対向する位置に設けられている。そして、これらの側板側係止爪２ｄは、前板側スリット孔１ｈにそれぞれ挿入可能に構成されている。このため、これらの側板側係止爪２ｄが前板側スリット孔１ｈにそれぞれ挿入された状態で側板部１に前板部２が取り付けられる。
【００３４】
前板部２は上端部２ｃおよび下端部２ｆを有している。上端部２ｃに支持部２ｅが設けられている。支持部２ｅは後方側に突出している。つまり、前板部２は、上端部２ｃから後方側に突出する支持部２ｅを有している。支持部２ｅは天板部３の保持部３ｄに載置可能に構成されている。支持部２ｅは左右方向において略均等の間隔で５個設けられている。そのうち１つは左右方向の略中央に配置されている。
【００３５】
また、下端部２ｆに底板側係止爪２ｇが設けられている。底板側係止爪２ｇは底板部４の底板スリット孔４ｄに挿入可能に構成されている。底板側係止爪２ｇは下端部２ｆから後方側に突出している。つまり、底板側係止爪２ｇは下端部２ｆから側板部１の背面部１ｂ側に突出するように形成されている。底板側係止爪２ｇは、上面視において略矩形状に形成されており、かつ板状に形成されている。底板側係止爪２ｇは左右方向において略均等の間隔で５個設けられている。そのうち１つは左右方向の略中央に配置されている。
【００３６】
天板部３は側板部１の上方側に配置されている。天板部３は側板部１に取り付け可能に構成されている。天板部３は、上面部３ａと、上面部３ａの左右両端に接続された左右一対の天板側面部３ｂと、上面部３ａの後端に接続された天板背面部３ｉとを有している。天板側面部３ｂおよび天板背面部３ｉは上面部３ａから下方に延在している。天板側面部３ｂは側板部１の側板側面部１ａに載置可能に構成されている。天板背面部３ｉは側板部１の背面部１ｂに載置可能に構成されている。
【００３７】
天板側面部３ｂには天板係止爪３ｃが設けられている。天板係止爪３ｃは天板側面部３ｂから下方側に突出している。天板係止爪３ｃは、天板側スリット孔１ｆに挿入された状態で前後方向ＢＦに移動可能に構成されている。天板係止爪３ｃは第１の係止爪ｃ１および第２の係止爪ｃ２を有している。第１の係止爪ｃ１および第２の係止爪ｃ２は互いに前後方向ＢＦに並んで配置されている。第１の係止爪ｃ１および第２の係止爪ｃ２は第１のスリット孔ｆ１および第２のスリット孔ｆ２にそれぞれ挿入される。第１および第２の係止爪ｃ１、ｃ２がそれぞれ左右一対の天板側面部３ｂに設けられている。
【００３８】
上面部３ａの上面ＵＳは、支持部２ｅを保持可能な保持部３ｄを有している。保持部３ｄは支持部２ｅが載置される位置に配置されている。このため、保持部３ｄは、支持部２ｅの位置にあわせて左右方向において略均等の間隔で５個設けられている。
【００３９】
また、天板部３は天板係止片３ｅを有している。天板係止片３ｅは上面ＵＳから上方側に突出してから前方側に折り曲げられるように構成されている。天板係止片３ｅは前板部２の上端部２ｃを係止可能に構成されている。また、天板部３は、表示パネル部５の表示部５ａが配置される貫通孔３ｆと、操作パネル部６の操作ボタン６ａが配置される貫通孔３ｇとを有している。また、天板部３は、貫通孔３ｆの後方側に設けられた取手部３ｈを有している。
【００４０】
底板部４は側板部１の下方側に配置されている。底板部４は、側板部１を載置可能に構成されている。底板部４は、前端部４ａと、前端部４ａの左右両端に接続された左右一対の底板側面部４ｂとを有している。また、底板部４は前板部２に対向するように設けられた壁部４ｃを有している。壁部４ｃは前端部４ａに対して後方側に配置されている。壁部４ｃは、前板部２の下端部２ｆに対向するように配置されている。壁部４ｃは、前端部４ａの左右方向の大部分に渡って形成されている。
【００４１】
壁部４ｃには前板部２に対向する位置に開口する底板スリット孔４ｄが形成されている。つまり、底板部４は、前板部２に対向する位置に開口する底板スリット孔４ｄを有している。底板スリット孔４ｄは底板側係止爪２ｇが挿入される位置に配置されている。このため、底板スリット孔４ｄは、底板側係止爪２ｇの位置にあわせて左右方向において略均等の間隔で５個設けられている。
【００４２】
図４〜図６を参照して、天板部３の天板係止爪３ｃが側板部１の天板側スリット孔１ｆに挿入された構成について詳しく説明する。図４〜図６では天板部３が前方側に移動された状態を図示している。図４に示すように、天板係止爪３ｃは、前方側係止部３１と、後方側係止部３２と、先端突出部３３と、傾斜部３４と、後端突出部３５と、隆起部３６とを有している。
【００４３】
前方側係止部３１は天板係止爪３ｃの前方側に配置されている。前方側係止部３１は、天板部３が前方側に移動された状態で、天板側フランジ部１ｅに係止されている。また、後方側係止部３２は天板係止爪３ｃの後方側に配置されている。後方側係止部３２は、天板部３が後方側に移動された状態で、天板側フランジ部１ｅに乗り上げて天板部３が前方側に移動された状態よりも高い位置で天板側フランジ部１ｅに係止されるように構成されている。
【００４４】
図５および図６に示すように、先端突出部３３は天板係止爪３ｃの先端に設けられている。先端突出部３３は、天板部３が前方側に移動された状態で、天板側フランジ部１ｅの下方に配置されている。このため、天板部３が前方側に移動された状態で、天板係止爪３ｃが天板側スリット孔１ｆから上方に抜けることを防止することができる。
【００４５】
図４および図６に示すように、傾斜部３４は天板係止爪３ｃの後端上側に設けられている。天板部３が後方側に移動されたときに、天板側スリット孔１ｆの後端に傾斜部３４が接触することによって、傾斜部３４に沿って天板係止爪３ｃが天板側フランジ部１ｅに乗り上げることができる。このため、傾斜部３４によって天板係止爪３ｃを天板側フランジ部１ｅに滑らかに乗り上げることができる。
【００４６】
後端突出部３５は天板係止爪３ｃの後端下側に設けられている。隆起部３６は後端突出部３５から上方に隆起するように形成されている。傾斜部３４と後端突出部３５および隆起部３６との間には天板側フランジ部１ｅを挿入可能な隙間が形成されている。天板部３が後方側に移動されたときに、当該隙間に天板側フランジ部１ｅが挿入された状態で、天板側フランジ部１ｅを後方側係止部３２に係止することができる。そして、隆起部３６で下側から天板側フランジ部１ｅを押圧することによって、後方側係止部３２が天板側フランジ部１ｅに係止された状態をしっかりと保持することができる。
【００４７】
また、天板側スリット孔１ｆの前後方向の長さは、天板係止爪３ｃが挿入された状態で前後方向に移動可能なように、天板係止爪３ｃが挿入された部分の長さよりも長くなっている。
【００４８】
続いて、再び図４を参照して、前板部２の側板側係止爪２ｄが側板部１の前板側スリット孔１ｈに挿入された構成について詳しく説明する。図４では、側板側係止爪２ｄが前板側スリット孔１ｈに挿入され、下方側に移動された状態を図示している。
【００４９】
側板側係止爪２ｄは上下方向に延在するように形成されており、かつ板状に形成されている。側板側係止爪２ｄは、前板側スリット孔１ｈに挿入された状態で上下方向に移動可能に構成されている。
【００５０】
側板側係止爪２ｄは、突起部ＰＰを有している。突起部ＰＰは側板側係止爪２ｄの下方側に配置されている。突起部ＰＰは側板側係止爪２ｄが下方側に移動された状態で前板部２との間で前板側フランジ部１ｇを挟み込むように構成されている。側板側係止爪２ｄは前板側スリット孔１ｈに挿入され、下方側に移動された状態で前板側フランジ部１ｇに係止されている。なお、本実施の形態では、上下方向に並んで配置された３つの側板側係止爪２ｄは、３つの前板側スリット孔１ｈにそれぞれ挿入されている。
【００５１】
続いて、図７および図８を参照して、前板部２が天板部３に支持された構成について説明する。本実施の形態では、前板部２の支持部２ｅが天板部３の保持部３ｄに載置されて支持されている。本実施の形態では、天板部３の保持部３ｄは凹部ＨＯを有している。前板部２の支持部２ｅは板状に形成されている。また、支持部２ｅは凹部ＨＯに係合可能な凸部ＰＲを有している。凸部ＰＲは下方に突出している。そして、天板部３の保持部３ｄの凹部ＨＯに前板部２の支持部２ｅの凸部ＰＲが係合することによって、前板部２が天板部３に支持されている。なお、保持部３ｄが凹部ＨＯを有し、支持部２ｅが凸部ＰＲを有している場合について説明したが、保持部３ｄおよび支持部２ｅのいずれか一方が凹部ＨＯを有し、いずれか他方が凹部ＨＯと係合可能な凸部ＰＲを有していればよい。
【００５２】
また、天板係止片３ｅに前板部２の上端部２ｃが前後方向に係止されている。また、天板係止片３ｅの先端部は前板部２の上端部２ｃを覆うように形成されているため、天板係止片３ｅは前板部２を前後方向に係止するとともに、前板部２が上方に抜けることを防止することができる。
【００５３】
続いて、図９および図１０を参照して、前板部２が底板部４の上方に配置された構成について説明する。本実施の形態では、上述の通り、前板部２の側板側係止爪２ｄが側板部１の前板側スリット孔１ｈに挿入された状態で前板部２が側板部１に支持されている。この状態で、底板部４の底板スリット孔４ｄに前板部２の底板側係止爪２ｇが挿入されている。したがって、前板部２が前後方向に斜めの状態にされると、底板側係止爪２ｇが底板スリット孔４ｄに接触するため、前板部２が底板部４によって係止される。このため、前板部２を底板部４から外れ難くすることができる。
【００５４】
次に、本実施の形態の暖房装置の前板部の側板部への取り付けについて、暖房装置の製造工程とあわせて説明する。
【００５５】
図１１および図１２を参照して、天板部３が後方側に移動された状態で、天板部３が側板部１に支持されている。この状態では、後方側係止部３２は、天板側フランジ部１ｅに乗り上げて天板部３が前方側に移動された状態よりも高い位置で天板側フランジ部１ｅに係止されている。つまり、天板部３が後方側かつ上方側に移動された状態で、後方側係止部３２は天板側フランジ部１ｅに係止されている。
【００５６】
本実施の形態の暖房装置の製造工程では、この状態において操作パネル部６の検査が実施される。後方側係止部３２が天板側フランジ部１ｅに係止されているため、この状態においても操作パネル部６の操作ボタン６ａを安定して操作することができる。したがって、検査作業が容易である。
【００５７】
続いて、図１３を参照して、前板部２が側板部１に取り付けられる。具体的には、側板側係止爪２ｄが前板側スリット孔１ｈに挿入されるように前板部２が側板部１に対して移動される。さらに、図１４を参照して、側板側係止爪２ｄが前板側スリット孔１ｈに挿入された状態で、側板側係止爪２ｄが下方側に移動されて前板側フランジ部１ｇに係止される。このようにして、前板部２が側板部１に取り付けられる。この後、天板部３が前方に移動されることにより、図１および図４に示す暖房装置が製造される。
【００５８】
ここで、図１５を参照して、天板部３が前方側に移動された状態と、天板部３が後方側に移動された状態とにおける天板係止爪３ｃの状態について説明する。図１５中実線で示すように、天板部３が前方側に移動された状態では、前方側係止部３１が天板側フランジ部１ｅに係止される。本実施の形態では、前方側係止部３１は天板係止爪３ｃの天板側スリット孔１ｆの前方端の側面に接触する部分である。言い換えれば、前方側係止部３１は天板側スリット孔１ｆの外形を規定する端面のうち天板側スリット孔１ｆの前方端に位置する端面の一部に接触する部分である。
【００５９】
他方、図１５中破線で示すように、天板部３が後方側に移動された状態では、後方側係止部３２が天板側フランジ部１ｅに乗り上げている。また、後方側係止部３２は、図１５中実線で示す天板部３が前方側に移動された状態よりも上下方向に高い位置で天板側フランジ部１ｅに係止されている。本実施の形態では、後方側係止部３２は天板係止爪３ｃの天板側スリット孔１ｆの後方端の上面および側面に接触する部分である。言い換えれば、後方側係止部３２は、天板側スリット孔１ｆの後方端に位置する天板側フランジ部１ｅの上面の一部と、天板側スリット孔１ｆの外形を規定する端面のうち天板側スリット孔１ｆの後方端に位置する端面の一部とに接触する部分である。
【００６０】
本実施の形態では、図１５中実線で示すように天板部３が前方側に移動され、前方側係止部３１が天板側フランジ部１ｅに係止された状態と、図１５中破線で示すように天板部３が後方側に移動され、後方側係止部３２が天板側フランジ部１ｅに係止された状態とで、天板部３の位置を変化させることができる。これにより、天板部３を側板部１に対して後方側に移動させるとともに上方側に移動させることができる。
【００６１】
次に、本実施の形態の暖房装置の作用効果について説明する。
本実施の形態の暖房装置によれば、前板部２はビスを用いないで側板部１に取り付け可能であるため、意匠性を向上することができる。また、天板係止爪３ｃは、天板側スリット孔１ｆに挿入された状態で前後方向ＢＦに移動可能である。このため、天板部３が後方側に移動された状態で側板部１に前板部２を取り付けることができる。そして、天板部３が後方側に移動された状態において、天板側フランジ部１ｅに乗り上げて天板部３が前方側に移動された状態よりも高い位置で天板側フランジ部１ｅに後方側係止部３２は係止される。したがって、天板部３が前方側に移動された状態よりも高い位置にあるため、側板部１に前板部２を取り付けるときに、前板部２が天板部３に接触することを抑制することができる。このため、前板部２を側板部１に取り付けることが容易である。よって、暖房装置の生産性を向上することができる。
【００６２】
本実施の形態の暖房装置においては、互いに前後方向に配置された第１および第２のスリット孔ｆ１、ｆ２にそれぞれ第１および第２の係止爪ｃ１、ｃ２が挿入されることによって、天板係止爪３ｃを前後方向に安定して移動させることができる。
【００６３】
本実施の形態の暖房装置においては、保持部３ｄが凹部ＨＯを有し、支持部２ｅが凹部ＨＯと係合可能な凸部ＰＲを有しているため、凹部ＨＯと凸部ＰＲとを係合させることによって、天板部３の保持部３ｄと前板部２の支持部２ｅとをしっかりと係合させることができる。また、凹部ＨＯに凸部ＰＲが係合することによって前板部２を天板部３から外れ難くすることができる。
【００６４】
本実施の形態の暖房装置においては、底板部４の底板スリット孔４ｄに前板部２の底板側係止爪２ｇが挿入されることによって、前板部２を底板部４から外れ難くすることができる。
【００６５】
本実施の形態の暖房装置においては、側板部１の前板側スリット孔１ｈに前板部２の側板側係止爪２ｄが挿入され、下方側に移動された状態で、突起部ＰＰが前板部２との間で前板側フランジ部１ｇを挟み込むため、前板部２を側板部１から外れ難くすることができる。また、天板部３が後方側に移動された状態で前板部２を側板部１に取り付けることができるため、側板側係止爪２ｄが前板側スリット孔１ｈに挿入された状態での前板部２の上下方向の稼働ストロークを確保することができる。
【００６６】
次に、本発明の一実施の形態の暖房装置の変形例について説明する。なお、上記の本実施の形態と同一の要素については同一の符号を付し、その説明は繰り返さない。
【００６７】
まず、図１６を参照して、本実施の形態の暖房装置の変形例の構成について説明する。なお、図１６は図４に対応する断面位置での断面図である。この変形例では、上記の本実施の形態の暖房装置と比べて天板係止爪３ｃの構成が異なっている。この変形例でも上記の本実施の形態の暖房装置と同様に、第１の係止爪ｃ１および第２の係止爪ｃ２はそれぞれ第１のスリット孔ｆ１および第２のスリット孔ｆ２に挿入されている。しかしながら、この変形例では、上記の本実施の形態の暖房装置と比べて、第１の係止爪ｃ１および第２の係止爪ｃ２のうち第２の係止爪ｃ２の構成が異なっている。
【００６８】
図１６および図１７を参照して、第２の係止爪ｃ２は、後方延在部３７と、鉛直端面３８とを有している。後方延在部３７は、天板係止爪３ｃの後端上側に設けられている。天板係止爪３ｃは、傾斜部３４から天板係止爪３ｃの後端に渡って延在している。後方延在部３７の天板側面部３ｂから下方側に突出する部分の上下方向の寸法ＳＡは、前方側係止部３１が天板側フランジ部１ｅに係止された状態での先端突出部３３から天板側面部３ｂまでの上下方向の距離ＳＢよりも小さい。この距離ＳＢは、寸法ＳＡに天板側フランジ部１ｅの厚みを加えた寸法よりも大きい。
【００６９】
後方延在部３７の後端には鉛直端面３８が設けられている。鉛直端面３８は天板係止爪３ｃの後端に配置されている。鉛直端面３８は鉛直方向（上下方向）に延在している。鉛直端面３８の上下方向の寸法は上記寸法ＳＡである。鉛直端面３８は天板側フランジ部１ｅの後端部ＢＥと前後方向に対向している。
【００７０】
鉛直端面３８は、第２の係止爪ｃ２が第２のスリット孔ｆ２に挿入された状態で、第２のスリット孔ｆ２を規定する天板側フランジ部１ｅの後端部ＢＥに当接することで天板部３の後方側への移動を規制するためのものである。鉛直端面３８が天板側フランジ部１ｅの後端部ＢＥに当接することで、天板部３の後方側への移動が止められる。
【００７１】
第２のスリット孔ｆ２の前後方向の長さ寸法Ｗ１は、前方側係止部３１から鉛直端面３８までの前後方向の長さ寸法Ｗ２以上の長さである。本実施の形態の暖房装置の変形例では長さ寸法Ｗ１は、長さ寸法Ｗ２とほぼ同じ長さである。つまり、長さ寸法Ｗ２の方が長さ寸法Ｗ１よりもごく僅かに短く構成されている。なお、長さ寸法Ｗ１は長さ寸法Ｗ２と同じ長さであってもよい。これにより、天板部３を後方側に移動させないようにすることができる。
【００７２】
なお、第２の係止爪ｃ２ではなく、第１の係止爪ｃ１が後方延在部３７と、鉛直端面３８とを有していてもよい。つまり、本実施の形態の暖房装置の変形例では、第１の係止爪ｃ１および第２の係止爪ｃ２のいずれかが後方延在部３７と、鉛直端面３８とを有していればよい。
【００７３】
続いて、天板部３が前方側から後方側に移動された状態における天板係止爪３ｃの状態について説明する。図１６および図１７に示すように、天板部３が前方側に移動された状態では、鉛直端面３８が天板側フランジ部１ｅの後端部ＢＥに当接している。このため、この状態では天板部３の後方側への移動は規制されている。
【００７４】
図１８を参照して、鉛直端面３８の下端が第２のスリット孔ｆ２の上端よりも上方に位置するように天板係止爪３ｃが上方に移動される。これにより、鉛直端面３８と天板側フランジ部１ｅの後端部ＢＥとの当接が解除される。また、天板係止爪３ｃが後方側に移動されても鉛直端面３８は天板側フランジ部１ｅの後端部ＢＥに当接しない。
【００７５】
図１９を参照して、鉛直端面３８の下端が第２のスリット孔ｆ２の上端よりも上方に位置した状態で、天板係止爪３ｃが後方側に移動される。これにより、天板係止爪３ｃは傾斜部３４に沿って天板側フランジ部１ｅに乗り上げる。そして、後方側係止部３２が天板側フランジ部１ｅに係止される。
【００７６】
なお、意図せぬ天板部３の脱落を防止するため、天板背面部３ｉと、側板部１の背面部１ｂの上側に設けられた後板上部とがビスで締結されていてもよい。これにより、天板部３の上方への移動を抑止し、且つ、天板部３を外す際にはこのビスを外して天板部３を上方へ移動させて天板部３を外すことができる。
【００７７】
続いて、本実施の形態の暖房装置の変形例の作用効果について説明する。本実施の形態の暖房装置の変形例によれば、第１の係止爪ｃ１および第２の係止爪ｃ２のいずれかは、第１の係止爪ｃ１および第２の係止爪ｃ２が第１のスリット孔ｆ１および第２のスリット孔ｆ２に挿入された状態で、第１および第２のスリット孔のいずれかを規定する天板側フランジ部１ｅの後端部ＢＥに当接することで天板部３の後方側への移動を規制するための鉛直端面３８をさらに含んでいる。このため、鉛直端面３８が天板側フランジ部１ｅの後端部ＢＥに当接することで天板部３の後方側への移動を規制することができる。これにより、転倒時に天板部３が後方側に移動することを抑制することができる。
【００７８】
なお、上記では本実施の形態の暖房装置の一例としてガスファンヒータについて説明したが、本実施の形態の暖房装置は、ガスファンヒータに限定されず、石油ファンヒータなどであってもよい。
【００７９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８０】
１  側板部、１ａ  側板側面部、１ｂ  背面部、１ｃ  側板上端部、１ｄ  側板前端部、１ｅ  天板側フランジ部、１ｆ  天板側スリット孔、１ｇ  前板側フランジ部、１ｈ  前板側スリット孔、２  前板部、２ａ  前面部、２ｂ  前板側面部、２ｃ  上端部、２ｄ  側板側係止爪、２ｅ  支持部、２ｆ  下端部、２ｇ  底板側係止爪、３  天板部、３ａ  上面部、３ｂ  天板側面部、３ｃ  天板係止爪、３ｄ  保持部、３ｅ  天板係止片、３ｆ，３ｇ  貫通孔、３ｈ  取手部、３ｉ  天板背面部、４  底板部、４ａ  前端部、４ｂ  底板側面部、４ｃ  壁部、４ｄ  底板スリット孔、５  表示パネル部、５ａ  表示部、６  操作パネル部、６ａ  操作ボタン、１１  燃焼ケース、１１ａ  燃焼部、１１ｂ  空気迂回部、１２  燃焼装置、１３  送風装置、１４  制御部、１５  風向板、１６  吸気口、１７  熱電対、１８  点火プラグ、２１  電磁弁、２２  燃料ガス供給路、３１  前方側係止部、３２  後方側係止部、３３  先端突出部、３４  傾斜部、３５  後端突出部、３６  隆起部、３７  後方延在部、３８  鉛直端面、ＢＥ  後端部、ＥＰ  排気口、ＨＯ  凹部、ＰＰ  突起部、ＰＲ  凸部、ｃ１  第１の係止孔、ｃ２  第２の係止爪、ｆ１  第１のスリット孔、ｆ２  第２のスリット孔。
【図１】
2015194321.tif 000003
【図２】
2015194321.tif 000004
【図４】
2015194321.tif 000005
【図５】
2015194321.tif 000006
【図６】
2015194321.tif 000007
【図８】
2015194321.tif 000008
【図９】
2015194321.tif 000009
【図１０】
2015194321.tif 000010
【図１１】
2015194321.tif 000011
【図１２】
2015194321.tif 000012
【図１３】
2015194321.tif 000013
【図１４】
2015194321.tif 000014
【図１５】
2015194321.tif 000015
【図１６】
2015194321.tif 000016
【図１７】
2015194321.tif 000017
【図１８】
2015194321.tif 000018
【図１９】
2015194321.tif 000019
【図３】
2015194321.tif 000020
【図７】
2015194321.tif 000021